(57)【要約】 【課題】外観よく、強固に構成された脚体及びテーブルを提供する【解決手段】脚体１２は、板状に形成された第一面部５１及び第一面部５１と交差し板状に形成された第二面部５２を有し、床面から上方に延びる支柱５０と、表面が第一面部５１の表面と面一となるように板状に形成された第一連結面部７１を有し、支柱５０の上端部から上下方向と交差する第一方向に延びる第一連結部と、表面が第二面部５２の表面と面一となるように板状に形成された第二連結面部７２を有し、支柱５０の上端部から上下方向及び第一方向と交差する第二方向に延びる第二連結部と、第一面部５１、第二面部５２、第一連結面部７１及び第二連結面部７２のそれぞれの裏面を支持する補強部６０とを備え、第一面部５１の上端部と第一連結面部７１の端部とは互いに突き付けられるとともに、第二面部５２の上端部と第二連結面部７２の端部とは互いに突きつけられていることを特徴とする。【選択図】図３
2015142679.tif 000002
【特許請求の範囲】
【請求項１】
板状に形成された第一面部及び該第一面部と交差し板状に形成された第二面部を有し、床面から上方に延びる支柱と、
表面が前記第一面部の表面と面一となるように板状に形成された第一連結面部を有し、前記支柱の上端部から上下方向と交差する第一方向に延びる第一連結部と、
表面が前記第二面部の表面と面一となるように板状に形成された第二連結面部を有し、前記支柱の上端部から前記上下方向及び前記第一方向と交差する第二方向に延びる第二連結部と、
前記第一面部、前記第二面部、前記第一連結面部及び前記第二連結面部のそれぞれの裏面を支持する補強部とを備え、
前記第一面部の上端部と前記第一連結面部の端部とは互いに突き付けられるとともに、前記第二面部の上端部と前記第二連結面部の端部とは互いに突きつけられていることを特徴とする脚体。
【請求項２】
前記第一面部の前記上端部及び前記第二面部の前記上端部は、それぞれ前記第一面部と前記第二面部との交差する角部から該角部と反対側の縁部に向かうにしたがって次第に下方に向かうように形成されていることを特徴とする請求項１に記載の脚体。
【請求項３】
前記支柱は、
前記第二面部と交差し板状に形成された第三面部と、
前記第三面部及び前記第一面部と交差し板状に形成された第四面部とをさらに有するとともに、前記第一面部、前記第二面部、前記第三面部及び前記第四面部により角管状に形成され、
前記補強部は、角管状の前記支柱内に配置されていることを特徴とする請求項１または請求項２に記載の脚体。
【請求項４】
前記第四面部の上端部は前記第一連結面部の下部を支持するとともに、前記第三面部の上端部は前記第二連結面部の下部を支持することを特徴とする請求項３に記載の脚体。
【請求項５】
請求項１から請求項４のいずれか一項に記載の複数の脚体と、
該脚体に支持された天板とを備えることを特徴とするテーブル。
【請求項６】
前記天板の前記第一方向に延びる端面は、前記第一連結面部の表面と面一とされ、
前記天板の前記第二方向に延びる端面は、前記第二連結面部の表面と面一とされていることを特徴とする請求項５に記載のテーブル。
【発明の詳細な説明】
【技術分野】
【０００１】
本発明は、脚体及びテーブルに関するものである。
【背景技術】
【０００２】
一般に、オフィスや公共施設等における空間には、床面から延びる脚部と、脚部に支持された天板とを有するテーブルが設置され（下記特許文献１から３参照）ている。利用者は、このようなテーブルを利用して作業や会議を行う。
【先行技術文献】
【特許文献】
【０００３】
【特許文献１】特許第４４２０４１３号公報
【特許文献２】特開２０００−２４５５３８号公報
【特許文献３】特開２０１３−１０２９９４号公報
【発明の概要】
【発明が解決しようとする課題】
【０００４】
ところで、上記のテーブルにおいては、天板を支持する脚部は、板金どうしが組み付けられて成形されることがある。この場合には、板金どうしの接合部分においては、板金の端面が露出したり、溶接個所が目立って外観が良好でないという問題点がある。
【０００５】
本発明は、上記事情に鑑みてなされたものであり、外観よく、強固に構成された脚体及びテーブルを提供するものである。
【課題を解決するための手段】
【０００６】
上記目的を達成するために、本発明は以下の手段を採用している。
すなわち、本発明に係る脚体は、板状に形成された第一面部及び該第一面部と交差し板状に形成された第二面部を有し、床面から上方に延びる支柱と、表面が前記第一面部の表面と面一となるように板状に形成された第一連結面部を有し、前記支柱の上端部から上下方向と交差する第一方向に延びる第一連結部と、表面が前記第二面部の表面と面一となるように板状に形成された第二連結面部を有し、前記支柱の上端部から前記上下方向及び前記第一方向と交差する第二方向に延びる第二連結部と、前記第一面部、前記第二面部、前記第一連結面部及び前記第二連結面部のそれぞれの裏面を支持する補強部とを備え、前記第一面部の上端部と前記第一連結面部の端部とは互いに突き付けられるとともに、前記第二面部の上端部と前記第二連結面部の端部とは互いに突きつけられていることを特徴とする。
【０００７】
このように構成された脚体では、支柱と、支柱から第一方向に延びる第一連結部とは、第一面部の上端部と第一連結面部の端部とが突き付けられて連結されている。また、支柱と、支柱から第二方向に延びる第二連結部とは、第二面部の上端部と第二連結面部の端部とが突き付けられて連結されている。よって、支柱の第一面部の上端面、第二面部の上端面、第一連結面部の端面及び第二連結面部の端面が外部に露出することがない。したがって、支柱、第一連結部及び第二連結部を外観よく連結することができる。
また、支柱、第一連結部及び第二連結部の連結部分において、第一面部、第二面部、第一連結面部及び第二連結面部は、それぞれ裏面が補強部で支持されている。よって、支柱、第一連結部及び第二連結部を強固に連結することができる。
【０００８】
また、本発明に係る脚体は、前記第一面部の前記上端部及び前記第二面部の前記上端部は、それぞれ前記第一面部と前記第二面部との交差する角部から該角部と反対側の縁部に向かうにしたがって次第に下方に向かうように形成されていることが好ましい。
【０００９】
このように構成された脚体では、支柱の第一面部の上端部は、角部から第一面部の縁部に向かうにしたがって次第に下方に向かって傾斜するように形成されている。また、支柱の第二面部の上端部は、角部から第二面部の縁部に向かうにしたがって次第に下方に向かって傾斜するように形成されている。つまり、第一面部の上端部と第二面部の上端部とにより、支柱の上部は下向きＶ字状に形成されているため、支柱、第一連結部及び第二連結部はシャープな外観の印象を与えることができる。
【００１０】
また、本発明に係る脚体は、前記支柱は、前記第二面部と交差し板状に形成された第三面部と、前記第三面部及び前記第一面部と交差し板状に形成された第四面部とをさらに有するとともに、前記第一面部、前記第二面部、前記第三面部及び前記第四面部により角管状に形成され、前記補強部は、角管状の前記支柱内に配置されていてもよい。
【００１１】
このように構成された脚体では、支柱は、第一面部、第二面部、第三面部及び第四面部の四枚の板状部材で第一連結部及び第二連結部を支持するため、強固な構造とすることができる。
また、支柱を角管状の部材で構成することができるため、支柱を容易に製造することができる。また、角管状に形成された支柱の内部に補強部を配置することで、支柱、第一連結部及び第二連結部を連結することができるため、簡易な構成連結することができる。
【００１２】
また、本発明に係る脚体は、前記第四面部の上端部は前記第一連結面部の下部を支持するとともに、前記第三面部の上端部は前記第二連結面部の下部を支持してもよい。
【００１３】
このように構成されたテーブルでは、支柱の第三面部の上端部は第二連結面部の下部を支持するとともに、第四面部の上端部は第一連結面部の下部を支持する。これにより、支柱の第一面部及び第二面部のみならず、第三面部及び第四面部でもそれぞれ第二連結面部及び第一連結面部を支持している。よって、第一連結部及び第二連結部に作用する荷重を分散して支持することができる。
【００１４】
また、本発明に係るテーブルは、上記のいずれか一に記載の複数の脚体と、該脚体に支持された天板とを備えることを特徴とする。
【００１５】
このように構成されたテーブルでは、テーブルを構成する脚体の支柱、第一連結部及び第二連結部が外観よく連結されているため、テーブル全体の外観も良好とすることができる。
また、支柱、第一連結部及び第二連結部が強固に連結されているため、天板を安定的に支持することができる。
【００１６】
また、本発明に係るテーブルは、前記天板の前記第一方向に延びる端面は、前記第一連結面部の表面と面一とされ、前記天板の前記第二方向に延びる端面は、前記第二連結面部の表面と面一とされていることが好ましい。
【００１７】
このように構成されたテーブルでは、天板の第一方向に延びる端面は、第一連結部の第一連結面部の表面及び支柱の第一面部の表面と面一とされている。また、天板の第二方向に延びる端面は、第二連結部の第二連結面部の表面及び支柱の第二面部の表面と面一とされている。つまり、支柱、第一連結部、第二連結部及び天板が、第一方向に延びる同一面状及び第二方向に延びる同一面状に納まっている。よって、第一方向に延びる面及び第二方向に延びる面において凹凸がないため、納まりを良好とすることができ、シャープなデザインとすることができる。
【発明の効果】
【００１８】
本発明に係る脚体及びテーブルによれば、外観よく、強固な構成とすることができる。
【図面の簡単な説明】
【００１９】
【図１】本発明の実施形態におけるテーブルにおいて、引出しの収容された状態の斜視図である。
【図２】本発明の実施形態におけるテーブルにおいて、引出しの引き出された状態の斜視図である。
【図３】本発明の実施形態におけるテーブルを構成する脚体及び脚体周辺の斜視図である。
【図４】本発明の実施形態におけるテーブルを構成する脚体の斜視図である。
【図５】本発明の実施形態におけるテーブルを構成する脚体の上部の拡大斜視図である。
【図６】本発明の実施形態におけるテーブルを構成する脚体の分解斜視図である。
【図７】本発明の実施形態におけるテーブルの正面図である。
【図８】本発明の実施形態の変形例１におけるテーブルを構成する脚体の斜視図である。
【図９】本発明の実施形態の変形例１におけるテーブルを構成する脚体の分解斜視図である。
【図１０】本発明の実施形態の変形例２におけるテーブルを構成する脚体の分解斜視図である。
【図１１】本発明の実施形態の変形例２におけるテーブルを構成する脚体を図１０とは異なる角度から見た分解斜視図である。
【発明を実施するための形態】
【００２０】
以下、本発明の実施形態について説明する。
図１は、本実施形態におけるテーブルにおいて、引出しの収容された状態の斜視図である。図２は、本実施形態におけるテーブルにおいて、引出しの引き出された状態の斜視図である。
図１及び図２に示すように、本実施形態のテーブル１０は、オフィスや公共施設等における執務空間において作業を行うためのものである。テーブル１０は、天板１１と、脚体１２と、引出し１３とを備えている。なお、以下においては説明の便宜上、図１〜図３の矢印に示すように、前後左右方向を規定する。
【００２１】
（天板）
天板１１は、上面が作業面１１ａとされた板状部材である。この天板１１は、平面視形状が正方形（矩形）とされており、作業面１１ａがコンセント等の設けられていない平面とされている。このような天板１１は、上方から見て、４つの辺が各々前側、後側、左側、右側に向くように配置されている。なお、天板１１の裏面（下面）側には、脚体１２等をネジ止めするためのネジ穴が複数設けられている。また、天板１１の裏面には、引出し１３をスライド可能に支持するためのレールが固定されている。
【００２２】
（脚体）
脚体１２は、床面から上方に延び、天板１１の角部４か所に設けられている
なお、以下の説明では、天板１１の前側を向く辺と右側を向く辺とによって形成される角部に設けられた脚体１２を第１脚体１２ａと称し、右側を向く辺と後側を向く辺とによって形成される角部に設けられた脚体１２を第２脚体１２ｂと称し、後側を向く辺と左側を向く辺とによって形成される角部に設けられた脚体１２を第３脚体１２ｃと称し、左側を向く辺と前側を向く辺とによって形成される角部に設けられた脚体１２を第４脚体１２ｄと称する。
【００２３】
図３は、本実施形態におけるテーブル１０を構成する第１脚体１２ａ及び第１脚体１２ａ周辺の斜視図である。図４は、本実施形態におけるテーブル１０を構成する第１脚体１２ａの斜視図である。図５は、本実施形態におけるテーブル１０を構成する第１脚体１２ａの上部の拡大斜視図である。図６は、本実施形態におけるテーブル１０を構成する第１脚体１２ａの分解斜視図である。
図３〜図６に示すように、第１脚体１２ａは、床面から上方に延び角管状に形成された脚支柱５０と、脚支柱５０の内部に配置された脚補強材６０（補強部）と、脚支柱５０の上端部に設けられた連結材７０とを有している。
【００２４】
（脚支柱）
脚支柱５０は、水平断面視矩形状に形成された角管状の部材である。脚支柱５０は、それぞれ板状に形成された４枚の面部により構成されている。つまり、脚支柱５０は、前側を向く第一面部５１と、第一面部５１の端部から該第一面部５１と直交するように配置された第二面部５２と、第二面部５２の端部から該第二面部５２と直交するように配置された第三面部５３と、第一面部５１及び第三面部５３と直交するとともにこれら第一面部５１と第三面部５３とを連結する第四面部５４とを有している。つまり、第二面部５２は右側を向き、第三面部５３は後側を向き、第四面部５４は左側を向いている。
【００２５】
第一面部５１の上端部には、第一面部５１と第二面部５２との交差する角部５０Ｋから角部５０Ｋと反対側の縁部５１Ｆに向かうにしたがって、次第に下方に向かうように第一傾斜部５１Ａが形成されている。
【００２６】
第二面部５２の上端部には、角部５０Ｋから角部５０Ｋと反対側の縁部５２Ｆに向かうにしたがって、次第に下方に向かうように第二傾斜部５２Ａが形成されている。第二傾斜部５２Ａの上端部は、第一傾斜部５１Ａの上端部と連続している。
【００２７】
第三面部５３の上端部には、水平方向に延びる第一支持部５３Ｂが形成されている。第一支持部５３Ｂの第二面部５２側の端部は、第二面部５２の第二傾斜部５２Ａの下端部と連続している。
【００２８】
第四面部５４の上端部には、水平方向に延びる第二支持部５４Ｂが形成されている。第二支持部５４Ｂの第三面部５３側の端部は、第三面部５３の第一支持部５３Ｂの端部と連続している。また、第二支持部５４Ｂの第一面部５１側の端部と、第一面部５１の第一傾斜部５１Ａの下端部と連続している。
【００２９】
（脚補強材）
脚補強材６０は、それぞれ板状に形成された４枚の面部により構成されている。つまり、脚補強材６０は、前側を向く第一補強面部６１と、第一補強面部６１の一端部から該第一補強面部６１と直交するように配置された第二補強面部６２と、第二補強面部６２の端部から該第二補強面部６２と直交するように配置された第三補強面部６３と、第一補強面部６１の他端部から該第一補強面部６１と直交するように配置された第四補強面部６４とを有している。つまり、第二補強面部６２は右側を向き、第三補強面部６３は後側を向き、第四補強面部６４は左側を向いている。
【００３０】
第三補強面部６３の上部且つ第二補強面部６２側と反対側には、第一補強面部６１側と反対側に向かって延びる第一リブ６３Ｒが形成されている。換言すると、第三補強面部６３の上部且つ左端部には、後方に向かって延びる第一リブ６３Ｒが形成されている。
【００３１】
第四補強面部６４の上部且つ第一補強面部６１側と反対側には、第二補強面部６２側と反対側に向かって延びる第二リブ６４Ｒが形成されている。換言すると、第四補強面部６４の上部且つ後端部には、左側に向かって延びる第二リブ６４Ｒが形成されている。
【００３２】
この脚補強材６０は、脚支柱５０の内部に配置されている。本実施形態では、脚支柱５０の第一面部５１の内面に沿って、脚補強材６０の第一補強面部６１が配置されている。また、脚支柱５０の第二面部５２の内面に沿って、脚補強材６０の第二補強面部６２が配置されている。脚支柱５０の第三面部５３の内面に沿って、脚補強材６０の第三補強面部６３が配置されている。脚支柱５０の第四面部５４の内面に沿って、脚補強材６０の第四補強面部６４が配置されている。
【００３３】
このようにして、脚補強材６０の第一補強面部６１、第二補強面部６２、第三補強面部６３及び第四補強面部６４は、それぞれ脚支柱５０の第一面部５１、第二面部５２、第三面部５３及び第四面部５４のそれぞれの裏面を支持している。
【００３４】
脚支柱５０の第一支持部５３Ｂは、脚補強材６０の第一リブ６３Ｒの下端部を支持している。また、脚支柱５０の第二支持部５４Ｂは、脚補強材６０の第二リブ６４Ｒの下端部を支持している。
なお、本実施形態では、脚補強材６０は、鋼板を折り曲げて形成されている。
【００３５】
（連結材）
連結材７０は、天板１１の下面に沿って配置され、平面視略矩形状に形成され天板１１を支持する天板支持面部７０Ａを有している。天板支持面部７０Ａには、取付孔７０Ｘが複数形成されている。
【００３６】
連結材７０は、天板支持面部７０Ａの４辺から下方に向かって屈曲形成された第一連結面部７１（第一連結部）、第二連結面部７２（第二連結部）、第三連結面部７３及び第四連結面部７４とを有している。
【００３７】
第一連結面部７１は、板状に形成され、天板支持面部７０Ａの前側の辺から下方に向かって屈曲形成されている。第一連結面部７１は、左右方向（第一方向）に延びている。
【００３８】
第一連結面部７１の右端部には、右側から左側に向かうにしたがって、次第に下方に向かう第三傾斜部７１Ｘが形成されている。つまり、第三傾斜部７１Ｘは、第二面部５２側から第四面部５４側に向かうにしたがって、次第に下方に向かうように形成されている。
【００３９】
第一連結面部７１の下端部には、反対側に配置された第三連結面部７３側に向かって屈曲形成された屈曲壁部７１Ａが形成されている。屈曲壁部７１Ａの端部には、上方に向かって屈曲形成された上向壁部７１Ｂが形成されている。
【００４０】
第二連結面部７２は、板状に形成され、天板支持面部７０Ａの右側の辺から下方に向かって屈曲形成されている。第二連結面部７２は、前後方向（第二方向）に延びている。
【００４１】
第二連結面部７２の前端部には、前側から後側に向かうにしたがって、次第に下方に向かう第四傾斜部７２Ｘが形成されている。つまり、第四傾斜部７２Ｘは、第一面部５１側から第三面部５３側に向かうにしたがって、次第に下方に向かうように形成されている。第四傾斜部７２Ｘの上端部と第三傾斜部７１Ｘの上端部とは、連続している。
【００４２】
第二連結面部７２の下端部には、反対側に配置された第四連結面部７４側に向かって屈曲形成された屈曲壁部７２Ａが形成されている。屈曲壁部７２Ａの端部には、上方に向かって屈曲形成された上向壁部７２Ｂが形成されている。
【００４３】
第三連結面部７３は、天板支持面部７０Ａの後側の辺から下方に向かって屈曲形成されている。
【００４４】
第三連結面部７３の下端部には、反対側に配置された第一連結面部７１側に向かって屈曲形成された屈曲壁部７３Ａが形成されている。屈曲壁部７３Ａの端部には、上方に向かって屈曲形成された上向壁部７３Ｂが形成されている。
【００４５】
第四連結面部７４は、天板支持面部７０Ａの左側の辺から下方に向かって屈曲形成されている。
【００４６】
第四連結面部７４の下端部には、反対側に配置された第二連結面部７２側に向かって屈曲形成された屈曲壁部７４Ａが形成されている。屈曲壁部７４Ａの端部には、上方に向かって屈曲形成された上向壁部７４Ｂが形成されている。
なお、本実施形態では、連結材７０は、鋼板を折り曲げて形成されている。
【００４７】
脚支柱５０と連結材７０とにおいて、脚支柱５０の第一面部５１の上端部と連結材７０の第一連結面部７１の脚支柱５０側の端部とは、互いに突き付けられている。また、脚支柱５０の第二面部５２の上端部と連結材７０の第二連結面部７２の脚支柱５０側の端部とは、互いに突き付けられている。
【００４８】
本実施形態では、脚支柱５０の第一傾斜部５１Ａと連結材７０の第三傾斜部７１Ｘとは、互いに突き付けられている。また、脚支柱５０の第二傾斜部５２Ａと連結材７０の第四傾斜部７２Ｘとは、互いに突き付けられている。
【００４９】
脚支柱５０の第三面部５３の上端部は、連結材７０の第二連結面部７２の下部を支持している。また、脚支柱５０の第四面部５４の上端部は、連結材７０の第一連結面部７１の下部を支持している。
【００５０】
本実施形態では、脚支柱５０の第一支持部５３Ｂは、連結材７０の第二連結面部７２の下端部及び第二連結面部７２の下端部に設けられた屈曲壁部７２Ａを支持している。また、脚支柱５０の第二支持部５４Ｂは、連結材７０の第一連結面部７１の下端部及び第一連結面部７１の下端部に設けられた屈曲壁部７１Ａを支持している。
【００５１】
脚支柱５０の第一面部５１の表面と、連結材７０の第一連結面部７１の表面と、天板１１の左右方向に延びる端面（天板１１の前側を向く端面）とは、面一とされている。また、脚支柱５０の第二面部５２の表面と、連結材７０の第二連結面部７２の表面と、天板１１の前後方向に延びる端面（天板１１の右側を向く端面）とは、面一とされている。
【００５２】
脚補強材６０と連結材７０とにおいて、脚補強材６０の第一補強面部６１の上端部、第二補強面部６２の上端部、第三補強面部６３の上端部、第四補強面部６４の上端部、第一リブ６３Ｒの上端部及び第二リブ６４Ｒの上端部は、連結材７０の天板支持面部７０Ａの裏面を支持している。
【００５３】
また、脚補強材６０の第一補強面部６１は、第一連結面部７１の第二連結面部７２側の端部を支持している。また、脚補強材６０の第二補強面部６２は、第二連結面部７２の第一連結面部７１側の端部を支持している。
【００５４】
連結材７０の上向壁部７１Ｂと脚補強材６０の第二リブ６４Ｒとは当接している。また、連結材７０の上向壁部７２Ｂと脚補強材６０の第一リブ６３Ｒとは当接している。これにより、連結材７０は、脚補強材６０に対して位置決めされている。
【００５５】
なお、上記の脚支柱５０、脚補強材６０及び連結材７０において、部材どうしの接触部分は、適宜溶接やネジ等により接合されている。例えば、脚支柱５０の第一支持部５３Ｂ、連結材７０の第二連結面部７２の下端部及び脚補強材６０の第一リブ６３Ｒの接触部分は、互いに溶接により接合されている。
ただし、脚支柱５０の第一傾斜部５１Ａと連結材７０の第三傾斜部７１Ｘとの接触箇所では、突き付けられているだけで溶接等の接合はされていない。また、脚支柱５０の第二傾斜部５２Ａと連結材７０の第四傾斜部７２Ｘとの接触箇所でも、突き付けられているだけで溶接等の接合はされていない。
【００５６】
上記のように構成された脚体１２において、連結材７０の天板支持面部７０Ａに形成された取付孔７０Ｘの下方からネジ（不図示）が挿通され、天板１１に螺合されている。これにより、天板１１は脚体１２に取り付けられている。
【００５７】
第２脚体１２ｂ、第３脚体１２ｃ及び第４脚体１２ｄは、第１脚体１２ａと向きが異なる。例えば、第２脚体１２ｂの連結材７０は、第一連結面部７１が前後方向に延び、第二連結面部７２が左右方向に延びるように、配置されている。第３脚体１２ｃの連結材７０は、第一連結面部７１が左右方向に延び、第二連結面部７２が前後方向に延びるように、配置されている。第４脚体１２ｄの連結材７０は、第一連結面部７１が前後方向に延び、第二連結面部７２が左右方向に延びるように、配置されている。他の構成については、第２脚体１２ｂ、第３脚体１２ｃ及び第４脚体１２ｄは、第１脚体１２ａと同様の構成をしているため、ここでの詳細な説明を省略する。
【００５８】
（引出し）
図７は、本実施形態におけるテーブル１０の正面図である。
図１，２，７に示すように、第１引出し１３ａは、前面パネル１６が右側を向いて配置される収容容器であり、天板１１の下面に設置された不図示のレールによって、左右方向に移動可能に支持されている。この第１引出し１３ａは、物品を出し入れしないときは図１に示すように天板１１の下側に収容された状態（以下、収容状態と称する）とされ、物品を出し入れするときは図２に示すように天板１１の側方に引き出された状態とされる。
【００５９】
このような第１引出し１３ａは、図７に示すように、隣り合う脚体１２である第１脚体１２ａの第二連結面部７２と第２脚体１２ｂの第一連結面部７１間において、第二連結面部７２の端部と前面パネル１６の端部１６ａとの間、及び第一連結面部７１の端部と前面パネル１６の端部１６ａとの間に、前後方向（水平方向）に隙間が生じないように配置されている。なお、ここで言う隙間が生じていないとは、第二連結面部７２の端部と前面パネル１６の端部１６ａどうし、及び第一連結面部７１の端部と前面パネル１６の端部１６ａどうしが、当接している場合に限定されるものではなく、第１引出し１３ａの出し入れを阻害しない程度に僅かに離間している場合も含むものである。具体的には、一般的な体型の作業者の下肢が入り込まないように、第二連結面部７２の端部と前面パネル１６の端部１６ａとが近接し、第一連結面部７１の端部と前面パネル１６の端部１６ａとが近接して配置されていることを意味している。
【００６０】
また、第１引出し１３ａの収容状態において、第１引出し１３ａの前面は、第１脚体１２ａの第二面部５２の表面、第１脚体１２ａの第二連結面部７２の表面、第２脚体１２ｂの第一面部５１の表面及び第２脚体１２ｂの第一連結面部７１の表面と面一になっている。また、第１引出し１３ａの収容状態において、第１引出し１３ａの下面は、第１脚体１２ａの第二連結面部７２の下面及び第２脚体１２ｂの第一連結面部７１の下面と面一となっている。このため、第１引出し１３ａが収容状態のときには、第１引出し１３ａと第１脚体１２ａ及び第２脚体１２ｂとが図７に示すように、一体的となる。
【００６１】
第２引出し１３ｂは、前面パネル１６が後側を向いて配置される収容容器であり、天板１１の下面に設置された不図示のレールによって、前後方向に移動可能に支持されている。この第２引出し１３ｂも、物品を出し入れしないときは図１に示すように天板１１の下側に収容された状態（収容状態）とされ、物品を出し入れするときは図２に示すように天板１１の側方に引き出された状態とされる。
【００６２】
このような第２引出し１３ｂは、隣り合う脚体１２である第２脚体１２ｂの第二連結面部７２と第３脚体１２ｃの第一連結面部７１間において、第二連結面部７２の端部と前面パネル１６の端部１６ａとの間、及び第一連結面部７１の端部と前面パネル１６の端部１６ａとの間に、左右方向（水平方向）に隙間が生じないように配置されている。なお、ここで言う隙間が生じていないとは、第二連結面部７２の端部と前面パネル１６の端部１６ａどうし、及び第一連結面部７１の端部と前面パネル１６の端部１６ａどうしが、当接している場合に限定されるものではなく、第２引出し１３ｂの出し入れを阻害しない程度に僅かに離間している場合も含むものである。具体的には、一般的な体型の作業者の下肢が入り込まないように、第二連結面部７２の端部と前面パネル１６の端部１６ａとが近接し、第一連結面部７１の端部と前面パネル１６の端部１６ａとが近接して配置されていることを意味している。
【００６３】
また、第２引出し１３ｂの収容状態において、第２引出し１３ｂの前面は、第２脚体１２ｂの第二面部５２の表面、第２脚体１２ｂの第二連結面部７２の表面、第３脚体１２ｃの第一面部５１の表面及び第３脚体１２ｃの第一連結面部７１の表面と面一になっている。また、第２引出し１３ｂの収容状態において、第２引出し１３ｂの下面は、第２脚体１２ｂの第二連結面部７２の下面及び第３脚体１２ｃの第一連結面部７１の下面と面一となっている。このため、第２引出し１３ｂが収容状態のときには、第２引出し１３ｂと第２脚体１２ｂ及び第３脚体１２ｃとが、一体的となる。
【００６４】
第３引出し１３ｃは、前面パネル１６が左側を向いて配置される収容容器であり、天板１１の下面に設置された不図示のレールによって、左右方向に移動可能に支持されている。この第３引出し１３ｃも、物品を出し入れしないときは図１に示すように天板１１の下側に収容された状態（収容状態）とされ、物品を出し入れするときは図２に示すように天板１１の側方に引き出された状態とされる。
【００６５】
このような第３引出し１３ｃは、隣り合う脚体１２である第３脚体１２ｃの第二連結面部７２と第４脚体１２ｄの第一連結面部７１間において、第二連結面部７２の端部と前面パネル１６の端部１６ａとの間、及び第一連結面部７１の端部と前面パネル１６の端部１６ａとの間に、前後方向（水平方向）に隙間が生じないように配置されている。なお、ここで言う隙間が生じていないとは、第二連結面部７２の端部と前面パネル１６の端部１６ａどうし、及び第一連結面部７１の端部と前面パネル１６の端部１６ａどうしが、当接している場合に限定されるものではなく、第３引出し１３ｃの出し入れを阻害しない程度に僅かに離間している場合も含むものである。具体的には、一般的な体型の作業者の下肢が入り込まないように、第二連結面部７２の端部と前面パネル１６の端部１６ａとが近接し、第一連結面部７１の端部と前面パネル１６の端部１６ａとが近接して配置されていることを意味している。
【００６６】
また、第３引出し１３ｃの収容状態において、第３引出し１３ｃの前面は、第３脚体１２ｃの第二面部５２の表面、第３脚体１２ｃの第二連結面部７２の表面、第４脚体１２ｄの第一面部５１の表面及び第４脚体１２ｄの第一連結面部７１の表面と面一になっている。また、第３引出し１３ｃの収容状態において、第３引出し１３ｃの下面は、第３脚体１２ｃの第二連結面部７２の下面及び第４脚体１２ｄの第一連結面部７１の下面と面一となっている。このため、第３引出し１３ｃが収容状態のときには、第３引出し１３ｃと第３脚体１２ｃ及び第４脚体１２ｄとが、一体的となる。
【００６７】
第４引出し１３ｄは、前面パネル１６が前側を向いて配置される収容容器であり、天板１１の下面に設置された不図示のレールによって、前後方向に移動可能に支持されている。この第４引出し１３ｄも、物品を出し入れしないときは図１に示すように天板１１の下側に収容された状態（収容状態）とされ、物品を出し入れするときは図２に示すように天板１１の側方に引き出された状態とされる。
【００６８】
このような第４引出し１３ｄは、隣り合う脚体１２である第４脚体１２ｄの第二連結面部７２と第１脚体１２ａの第一連結面部７１間において、第二連結面部７２の端部と前面パネル１６の端部１６ａとの間、及び第一連結面部７１の端部と前面パネル１６の端部１６ａとの間に、左右方向（水平方向）に隙間が生じないように配置されている。なお、ここで言う隙間が生じていないとは、第二連結面部７２の端部と前面パネル１６の端部１６ａどうし、及び第一連結面部７１の端部と前面パネル１６の端部１６ａどうしが、当接している場合に限定されるものではなく、第４引出し１３ｄの出し入れを阻害しない程度に僅かに離間している場合も含むものである。具体的には、一般的な体型の作業者の下肢が入り込まないように、第二連結面部７２の端部と前面パネル１６の端部１６ａとが近接し、第一連結面部７１の端部と前面パネル１６の端部１６ａとが近接して配置されていることを意味している。
【００６９】
また、第４引出し１３ｄの収容状態において、第４引出し１３ｄの前面は、第４脚体１２ｄの第二面部５２の表面、第４脚体１２ｄの第二連結面部７２の表面、第１脚体１２ａの第一面部５１の表面及び第１脚体１２ａの第一連結面部７１の表面と面一になっている。また、第４引出し１３ｄの収容状態において、第４引出し１３ｄの下面は、第４脚体１２ｄの第二連結面部７２の下面及び第１脚体１２ａの第一連結面部７１の下面と面一となっている。このため、第４引出し１３ｄが収容状態のときには、第４引出し１３ｄと第４脚体１２ｄ及び第１脚体１２ａとが、一体的となる。
【００７０】
このように第１引出し１３ａ、第２引出し１３ｂ、第３引出し１３ｃ及び第４引出し１３ｄは、前面パネル１６が向けられる向き及び引出す方向が異なる以外は同じ構成とされている。
【００７１】
このように構成されたテーブルでは、脚支柱５０の第一傾斜部５１Ａと、連結材７０の第三傾斜部７１Ｘとは互いに突き付けられている。また、脚支柱５０の第二傾斜部５２Ａと、連結材７０の第四傾斜部７２Ｘとは互いに突き付けられている。よって、脚支柱５０の第一面部５１の上端面、第二面部５２の上端面、第一連結面部７１の端面及び第二連結面部７２の端面が外部に露出することがない。したがって、脚支柱５０と連結材７０とを外観よく連結することができるとともに、天板１１を安定的に支持することができる。
【００７２】
また、脚支柱５０と連結材７０との接合部分において、脚支柱５０の第一面部５１、第二面部５２、第一連結面部７１及び第二連結面部７２は、脚補強材６０の第一補強面部６１及び第二補強面部６２に支持されている。よって、脚支柱５０と連結材７０とを強固に連結することができる。
【００７３】
また、脚支柱５０の第一面部５１の第一傾斜部５１Ａは、角部５０Ｋから縁部５１Ｆに向かうにしたがって次第に下方に向かって傾斜するように形成されている。また、脚支柱５０の第二面部５２の第二傾斜部５２Ａは、角部５０Ｋから縁部５２Ｆに向かうにしたがって次第に下方に向かって傾斜するように形成されている。つまり、第一傾斜部５１Ａと第二傾斜部５２Ａとにより、脚支柱５０の上部は下向きＶ字状に形成されているため、シャープな外観の印象を与えることができる。
【００７４】
また、脚支柱５０は、第一面部５１の第一傾斜部５１Ａは第一連結面部７１の第三傾斜部７１Ｘを支持し、第二面部５２の第二傾斜部５２Ａは第二連結面部７２の第四傾斜部７２Ｘを支持する。脚支柱５０の第三面部５３の第一支持部５３Ｂは、第二連結面部７２の下端部を支持する。また、脚支柱５０の第四面部５４の第二支持部５４Ｂは、第一連結面部７１の下端部を支持する。これにより、脚支柱５０の第一面部５１、第二面部５２、第三面部５３及び第四面部５４は、第一連結面部７１及び第二連結面部７２を支持している。よって、第一連結面部７１及び第二連結面部７２に作用する荷重を分散して支持することができる。
【００７５】
引出し１３の前面と、引出し１３に隣接配置された一の脚体１２の第二面部５２の表面と、一の脚体１２の第二連結面部７２の表面と、引出し１３に隣接配置された他の脚体１２の第一面部５１の表面及び他の脚体１２の第一連結面部７１の表面とは、面一になっている。また、引出し１３下面と、一の脚体１２の第二連結面部７２の下面と他の脚体１２の第一連結面部７１の下面とは、面一となっている。左右方向に延びる面及び前後方向に延びる面において凹凸がないため、納まりを良好とすることができ、シャープなデザインとすることができる。
【００７６】
なお、本発明は、図面を参照して説明した上述の各実施形態に限定されるものではなく、その技術的範囲において様々な変形例が考えられる。
【００７７】
（変形例１）
上記に示す実施形態の変形例１について説明する。
なお、この変形例１において、前述した実施形態で用いた部材と同一の部材には同一の符号を付して、その説明を省略する。
図８は、上記に示す実施形態の変形例１におけるテーブルを構成する脚体の斜視図である。図９は、上記に示す実施形態の変形例１におけるテーブルを構成する脚体の分解斜視図である。
【００７８】
図８及び図９に示すように、テーブル１１０を構成する脚体１１２は、床面から上方に延び角管状に形成された脚支柱５０と、脚支柱５０の上端部に設けられた第一連結部材１５１（第一連結部）及び第二連結部材１５２（第二連結部）と、下部が脚支柱５０の内部に配置された脚補強材１６０（補強部）とを備えている。
【００７９】
（第一連結部材）
第一連結部材１５１は、天板１１（図１参照）の下面を支持する第一天板支持面部１７０Ａと、第一天板支持面部１７０Ａから下方に向かって屈曲形成された第一連結面部１７１とを有している。
【００８０】
第一天板支持面部１７０Ａの端部には、斜め４５度に傾斜する上傾斜部１７０Ｘが形成されている。
【００８１】
第一連結面部１７１の端部には、脚支柱５０の第一傾斜部５１Ａと突き付けられるように斜めに形成された第三傾斜部１７１Ｘが形成されている。
【００８２】
第一連結面部１７１の下端部には、屈曲形成された屈曲壁部１７１Ａが形成されている。屈曲壁部１７１Ａの端部には、上方に向かって屈曲形成された上向壁部１７１Ｂが形成されている。
【００８３】
（第二連結部材）
第二連結部材１５２は、天板１１の下面を支持する第二天板支持面部１７０Ｂと、第二天板支持面部１７０Ｂから下方に向かって屈曲形成された第二連結面部１７２とを有している。
【００８４】
第二天板支持面部１７０Ｂの端部には、斜め４５度に傾斜する上傾斜部１７０Ｙが形成されている。
【００８５】
第二連結面部１７２の端部には、脚支柱５０の第二傾斜部５２Ａと突き付けられるように斜めに形成された第四傾斜部１７２Ｘが形成されている。
【００８６】
第二連結面部１７２の下端部には、屈曲形成された屈曲壁部１７２Ａが形成されている。屈曲壁部１７２Ａの端部には、上方に向かって屈曲形成された上向壁部１７２Ｂが形成されている。
【００８７】
（脚補強材）
脚補強材１６０は、角管状に形成された脚支柱５０の内部に挿入される第一下補強面部１６１及び第二下補強面部１６２を有している。第一下補強面部１６１と第二下補強面部１６２とは、直交するように形成されている。
【００８８】
第一下補強面部１６１の縁部には、脚支柱５０の内部に向かうように屈曲された第一補強リブが１６１Ａ形成されている。また、第二下補強面部１６２の縁部には、脚支柱５０の内部に向かうように屈曲された第二補強リブ１６２Ａが形成されている。
【００８９】
また、脚補強材１６０は、第一下補強面部１６１の上端部から側方に延びる第一上補強面部１６３と、第二下補強面部１６２の上端部から側方に延びる第二上補強面部１６４とを有している。第一上補強面部１６３と第二上補強面部１６４とは、直交するように形成されている。
【００９０】
第一下補強面部１６１と第一上補強面部１６３とは、面一に形成されている。また、第二下補強面部１６２と第二上補強面部１６４とは、面一に形成されている。
【００９１】
第一上補強面部１６３の上端部には、脚支柱５０の内部に向かうように屈曲された第一上リブ１６３Ａが形成されている。第一上補強面部１６３の下端部には、脚支柱５０の内部に向かうように屈曲された第一下リブ１６３Ｂが形成されている。
【００９２】
第二上補強面部１６４の上端部には、脚支柱５０の内部に向かうように屈曲された第二上リブ１６４Ａが形成されている。第二上補強面部１６４の下端部には、脚支柱５０の内部に向かうように屈曲された第二下リブ１６４Ｂが形成されている。
【００９３】
これら第一上リブ１６３Ａの表面と第二上リブ１６４Ａの表面とは、面一になるように形成されている。
【００９４】
上記のように構成された第一連結部材１５１、第二連結部材１５２及び脚補強材１６０において、脚補強材１６０の外側に、第一連結部材１５１及び第二連結部材１５２が配置されて組み付けられている。
【００９５】
詳細には、脚補強材１６０の第一上リブ１６３Ａは、第一連結部材１５１の第一天板支持面部１７０Ａを支持している。脚補強材１６０の第二上リブ１６４Ａは、第二連結部材１５２の第二天板支持面部１７０Ｂを支持している。
【００９６】
また、脚補強材１６０の第一上補強面部１６３は、第一連結部材１５１の第一連結面部１７１を支持している。脚補強材１６０の第二上補強面部１６４は、第二連結部材１５２の第二連結面部１７２を支持している。
【００９７】
また、第一連結部材１５１の屈曲壁部１７１Ａは、脚補強材１６０の第一下リブ１６３Ｂを支持している。また、第二連結部材１５２の屈曲壁部１７２Ａは、脚補強材１６０の第二下リブ１６４Ｂを支持している。
【００９８】
第一連結部材１５１の上傾斜部１７０Ｘと第二連結部材１５２の上傾斜部１７０Ｙとは、互いに突きつけられている。このようにして、第一連結部材１５１、第二連結部材１５２及び脚補強材１６０は、適宜接合され組み付けられている。
【００９９】
上記のように組み付けられた第一連結部材１５１、第二連結部材１５２及び脚補強材１６０は、脚補強材１６０の下部が脚支柱５０内に配置されている。
【０１００】
詳細には、脚補強材１６０の第一下補強面部１６１は、脚支柱５０の第一面部５１を支持している。また、脚補強材１６０の第二下補強面部１６２は、脚支柱５０の第二面部５２を支持している。
【０１０１】
また、脚補強材１６０の第一補強リブ１６１Ａは、脚支柱５０の第四面部５４を支持している。また、脚補強材１６０の第二補強リブ１６２Ａは、脚支柱５０の第三面部５３を支持している。
【０１０２】
また、脚支柱５０の第一面部５１の第一傾斜部５１Ａは、第一連結部材１５１の第三傾斜部１７１Ｘに突き付けられている。また、脚支柱５０の第二面部５２の第二傾斜部５２Ａは、第二連結部材１５２の第四傾斜部１７２Ｘに突き付けられている。
【０１０３】
また、脚支柱５０の第四面部５４は、第一連結部材１５１の第一連結面部１７１の下端部及び屈曲壁部１７１Ａを支持している。また、脚支柱５０の第三面部５３は、第二連結部材１５２の第二連結面部１７２の下端部及び屈曲壁部１７２Ａを支持している。
【０１０４】
上記のように構成されたテーブル１１０においても、脚支柱５０の第一傾斜部５１Ａと第一連結部材１５１の第三傾斜部１７１Ｘとは、互いに突き付けられている。また、第二傾斜部５２Ａと第二連結部材１５２の第四傾斜部１７２Ｘとは、互いに突き付けられている。よって、脚支柱５０の第一面部５１の上端面、第二面部５２の上端面、第一連結面部１７１の端面及び第二連結面部１７２の端面が外部に露出することがない。したがって、脚支柱５０と第一連結部材１５１及び第二連結部材１５２とを外観よく連結することができるとともに、天板１１を安定的に支持することができる。
【０１０５】
また、脚支柱５０と第一連結部材１５１及び第二連結部材１５２との接合部分において、脚支柱５０の第一面部５１、第二面部５２、第一連結部材１５１の第一連結面部１７１及び第二連結部材１５２の第二連結面部１７２のそれぞれの裏面は、脚補強材１６０の第一下補強面部１６１、第二下補強面部１６２、第一上補強面部１６３及び第二上補強面部１６４に支持されている。よって、脚支柱５０と第一連結部材１５１及び第二連結部材１５２とを強固に連結することができる。
【０１０６】
（変形例２）
上記に示す実施形態の変形例２について説明する。
なお、この変形例２において、前述した実施形態で用いた部材と同一の部材には同一の符号を付して、その説明を省略する。
図１０は、上記に示す実施形態の変形例２におけるテーブルを構成する脚体の分解斜視図である。図１１は、上記に示す実施形態の変形例２におけるテーブルを構成する脚体を図１０とは異なる角度から見た分解斜視図である。
【０１０７】
図１０及び図１１に示すように、テーブル２１０を構成する脚体２１２は、床面から上方に延び角管状に形成された脚支柱２５０と、脚支柱２５０の上端部に設けられた第一連結部材２５１（第一連結部）及び第二連結部材２５２（第二連結部）とを備えている。
【０１０８】
（脚支柱）
脚支柱２５０は、第一面部５１と、第二面部５２と、第三面部５３と、第四面部５４とを有している。さらに、脚支柱２５０は、第三面部５３の第一支持部５３Ｂ及び第四面部５４の第二支持部５４Ｂから上方に延びる支持部２６１とを有している。
【０１０９】
支持部２６１は、第三面部５３の第一支持部５３Ｂから上方に延びる第一支持壁部２６１Ａと、第一支持壁部２６１Ａの第四面部５４側の端部から屈曲した第二支持壁部２６１Ｂと、第二支持壁部２６１Ｂの端部から屈曲した第三支持壁部２６１Ｃと、第三支持壁部２６１Ｃの端部から屈曲し第四面部５４と同一平面上に形成された第四支持壁部２６１Ｄとを有している。
【０１１０】
（第一連結部材）
第一連結部材２５１は、天板１１（図１参照）の下面を支持する第一天板支持面部２７０Ａと、第一天板支持面部２７０Ａの両端部から下方に向かって屈曲形成された第一連結面部２７１及び第一下向き壁部２８１とを有している。
【０１１１】
第一天板支持面部２７０Ａの端部には、斜め４５度に傾斜する上傾斜部２７０Ｘが形成されている。
【０１１２】
第一連結面部２７１の端部には、脚支柱２５０の第一傾斜部５１Ａと突き付けられるように斜めに形成された第三傾斜部２７１Ｘが形成されている。
【０１１３】
第一連結面部２７１の下端部には、屈曲形成された屈曲壁部２７１Ａが形成されている。屈曲壁部２７１Ａの端部には、上方に向かって屈曲形成された上向壁部２７１Ｂが形成されている。
【０１１４】
（第二連結部材）
第二連結部材２５２は、天板１１の下面を支持する第二天板支持面部２７０Ｂと、第二天板支持面部２７０Ｂの両端部から下方に向かって屈曲形成された第二連結面部２７２及び第二下向き壁部２８２とを有している。
【０１１５】
第二天板支持面部２７０Ｂの端部には、斜め４５度に傾斜する上傾斜部２７０Ｙが形成されている。
【０１１６】
第二連結面部２７２の端部には、脚支柱２５０の第二傾斜部５２Ａと突き付けられるように斜めに形成された第四傾斜部２７２Ｘが形成されている。
【０１１７】
第二連結面部２７２の下端部には、屈曲形成された屈曲壁部２７２Ａが形成されている。屈曲壁部２７２Ａの端部には、上方に向かって屈曲形成された上向壁部２７２Ｂが形成されている。
【０１１８】
上記のように構成された脚支柱２５０、第一連結部材２５１及び第二連結部材２５２において、第一連結部材２５１の上傾斜部２７０Ｘと第二連結部材２５２の上傾斜部２７０Ｙとは、互いに突きつけられている。
【０１１９】
また、脚支柱２５０の第一面部５１の第一傾斜部５１Ａは、第一連結部材２５１の第三傾斜部２７１Ｘに突き付けられている。また、脚支柱５０の第二面部５２の第二傾斜部５２Ａは、第二連結部材２５２の第四傾斜部２７２Ｘに突き付けられている。
【０１２０】
また、脚支柱２５０の第四面部５４の第二支持部５４Ｂは、第一連結部材２５１の第一連結面部２７１の下端部及び屈曲壁部２７１Ａを支持している。また、脚支柱２５０の第三面部５３の第一支持部５３Ｂは、第二連結部材２５２の第二連結面部２７２の下端部及び屈曲壁部２７２Ａを支持している。
【０１２１】
また、脚支柱２５０の第一支持壁部２６１Ａの上端部及び第二支持壁部２６１Ｂの上端部は、第二連結部材２５２の第二天板支持面部２７０Ｂの裏面を支持している。また、脚支柱２５０の第三支持壁部２６１Ｃの上端部及び第四支持壁部２６１Ｄの上端部は、第一連結部材２５１の第一天板支持面部２７０Ａの裏面を支持している。
【０１２２】
また、第一連結部材２５１の第一下向き壁部２８１は、脚支柱２５０の第三支持壁部２６１Ｃの第三面部５３側に沿って配置されている。また、第二連結部材２５２の第二下向き壁部２８２は、脚支柱２５０の第二支持壁部２６１Ｂの第四面部５４側に沿って配置されている。
【０１２３】
上記のように構成されたテーブル２１０においても、脚支柱２５０の第一傾斜部５１Ａと、第一連結部材２５１の第三傾斜部２７１Ｘとは互いに突き付けられている。また、脚支柱２５０の第二傾斜部５２Ａと、第二連結部材２５２の第四傾斜部２７２Ｘとは互いに突き付けられている。よって、第一面部５１の上端面、第二面部５２の上端面、第一連結面部２７１の端面及び第二連結面部２７２の端面が外部に露出することがない。したがって、脚支柱５０と第一連結部材２５１及び第二連結部材２５２とを外観よく連結することができるとともに、天板１１を安定的に支持することができる。
【０１２４】
これ以外にも、本発明の主旨を逸脱しない限り、上記実施の形態で挙げた構成を取捨選択したり、他の構成に適宜変更したりすることが可能である。
【符号の説明】
【０１２５】
１０…テーブル
１１…天板
１２…脚部（脚体）
５０…脚支柱（支柱）
５０Ｋ…角部
５１Ｆ，５２Ｆ…縁部
５１…第一面部
５２…第二面部
５３…第三面部
５４…第四面部
６０…脚補強部材（補強部）
７１…第一連結面部（第一連結部）
７２…第二連結面部（第二連結部）
【図１】
2015142679.tif 000003
【図２】
2015142679.tif 000004
【図３】
2015142679.tif 000005
【図４】
2015142679.tif 000006
【図５】
2015142679.tif 000007
【図６】
2015142679.tif 000008
【図７】
2015142679.tif 000009
【図８】
2015142679.tif 000010
【図９】
2015142679.tif 000011
【図１０】
2015142679.tif 000012
【図１１】
2015142679.tif 000013